(57)【要約】【課題】フレキシブル基板の補強を行なうとともに、電気的な不良の発生を防止する電子装置を提供する。【解決手段】電子装置は、スイッチ１０２ａが実装されたフレキシブル基板１０８と、フレキシブル基板１０８におけるスイッチ１０２ａの実装面とは反対の面に対向して配置された補強板１１３と、補強板１１３におけるフレキシブル基板１０８の対向面とは反対の面に対向して配置されたスペーサ１１２とを備える。【選択図】図４
2011049541.tif 000002
【特許請求の範囲】
【請求項１】
スイッチが実装されたフレキシブル基板と、
前記フレキシブル基板における前記スイッチの実装面とは反対の面に対向して配置された補強板と、
前記補強板における、前記フレキシブル基板に対向する面とは反対の面に対向して配置されたスペーサと、
を備えることを特徴とする電子装置。
【請求項２】
前記スペーサは位置決め部を備え、
前記補強板と前記フレキシブル基板は、前記位置決め部によって前記スペーサに対して位置決めされる、
ことを特徴とする請求項１に記載の電子装置。
【請求項３】
前記フレキシブル基板と、前記補強板と、前記スペーサとが１つのユニットとして形成された、ことを特徴とする請求項１または２に記載の電子装置。
【請求項４】
前記スペーサは固定部を備え、
前記補強板と前記フレキシブル基板は、前記固定部によって前記スペーサに固定される、ことを特徴とする請求項３に記載の電子装置。
【請求項５】
前記フレキシブル基板は延伸部を有し、前記延伸部は他の基板に接続される、ことを特徴とする請求項１から４のいずれかに記載の電子装置。
【請求項６】
前記他の基板に電子装置のぶれを検出するジャイロセンサーが搭載された、ことを特徴とする請求項５に記載の電子装置。
【請求項７】
前記フレキシブル基板は延伸部を有し、前記延伸部に電子装置のぶれを検出するジャイロセンサーが実装された、ことを特徴とする請求項１から４のいずれかに記載の電子装置。
【請求項８】
前記スイッチは、可動部の位置により状態が切り替わる可動スイッチであって、
前記スペーサは、前記可動部を案内する手段を有する、
ことを特徴とする請求項１から７のいずれかに記載の電子装置。
【発明の詳細な説明】
【技術分野】
【０００１】
本発明は電子装置に関し、より具体的には、操作キーの操作を受け付けるスイッチを実装したフレキシブル基板を備えた電子装置に関する。
【背景技術】
【０００２】
操作キーの操作を受け付けるスイッチを実装したフレキシブル基板を備えた電子装置に関する先行技術文献として、特許文献１がある。特許文献１に記載の撮影装置は、画像信号に基づく画像を表示する画像表示ユニットと、画像表示ユニットが配備された面と同一の面に配備された複数の操作キーが並んだキーユニットと、キーユニットの操作を検出する検出スイッチが配備されたキーユニットの背面に広がるフレキシブル基板と、画像表示ユニットを押さえるとともにフレキシブル基板の裏打ちを兼ねた押さえ板とを備える。
【先行技術文献】
【特許文献】
【０００３】
【特許文献１】特開２００６−２４６０７４号公報
【発明の概要】
【発明が解決しようとする課題】
【０００４】
しかしながら、特許文献１に開示の技術では、押さえ板が板金加工で形成されたものである場合、押さえ板のフレキシブル基板と反対側近傍に電気部品を実装する基板を配置することは、短絡等の電気的な不良を招く要因となり、望ましくない。
【０００５】
本発明は、電気部品を実装する種々の基板を含む電子装置であって、フレキシブル基板の補強を行なうとともに電気的な不良の発生を防止する電子装置を提供する。
【課題を解決するための手段】
【０００６】
本発明の電子装置は、スイッチが実装されたフレキシブル基板と、フレキシブル基板のスイッチが実装された面とは反対の面に対向して配置された補強板と、補強板におけるフレキシブル基板に対向する面とは反対の面に対向して配置されたスペーサと、を備える。
【０００７】
この構成により、フレキシブル基板を補強板で受けることによってフレキシブル基板の補強を行なうとともに、補強板のフレキシブル基板とは反対の面に対抗して基板が配置されていたとしても、補強板と基板の間にスペーサを配置することで補強板と基板との間隙を確保することができる。
【０００８】
スペーサは位置決め部を備えてもよく、補強板とフレキシブル基板は、位置決め部によってスペーサに対して位置決めされてもよい。これによって、補強板とフレキシブル基板をスペーサに対して容易に位置決めすることができる。
【０００９】
フレキシブル基板と、前記補強板と、前記スペーサとが１つのユニットとして形成されてもよい。一体化されたスペーサユニットは、電子装置本体に容易に組み付けることができる。
【００１０】
スペーサは固定ツメを備えてもよく、補強板とフレキシブル基板は、固定ツメによってスペーサに固定されてもよい。これによって、スペーサと補強板とフレキシブル基板を一体化することができる。
【発明の効果】
【００１１】
本発明によれば、フレキシブル基板を補強板で受けることによってフレキシブル基板の補強を行なうとともに、さらに、スペーサにより、補強板のフレキシブル基板の対向面と反対の面にスペースを確保できる。これにより、そのスペースにメイン基板を配置することが可能となり、すなわち、補強板とメイン基板との間にスペースを確保することが可能となり、補強板とメイン基板に実装された電子部品間の短絡等の電気的不良を防止できる。また、フレキシブル基板、補強板、及びスペーサはユニット化してもよく、これにより、これらの部品を電子装置本体に容易に組み付けることが可能となる。
【図面の簡単な説明】
【００１２】
【図１】本発明の実施の形態に係るデジタルカメラを底面側から見た斜視図
【図２】本発明の実施の形態に係るデジタルカメラの第一の分解斜視図
【図３】本発明の実施の形態に係るデジタルカメラの本体部の分解斜視図
【図４】スペーサユニットの分解斜視図
【図５】（ａ）ノブ付きロータリスイッチの上面図、（ｂ）ノブ付きロータリスイッチの断面図
【図６】本発明の実施の形態に係るデジタルカメラの第二の分解斜視図
【発明を実施するための形態】
【００１３】
本発明の実施の形態に係るデジタルカメラについて、図面を参照しながら説明する。なお、デジタルカメラは本発明の電子装置の実施形態の一例である。
【００１４】
図１は、本発明の実施の形態に係るデジタルカメラを底面側から見た斜視図である。
デジタルカメラ１００の背面には、被写体の画像や撮影された画像データに基づく画像を表示することができる液晶モニター１０１が配されている。液晶モニター１０１の右側には、四方向ボタンと決定ボタンからなる操作ボタン群１０２が配されている。また、デジタルカメラ１００による撮影動作に関する処理を実行させるのか、撮影された画像データに基づく画像を液晶モニター１０１に表示させる処理を実行させるのかを切り替えるスライドノブ１０３が配されている。さらに液晶モニター１０１の表示を切り替えるディスプレイボタン１０４や、不要な画像データを削除する削除ボタン１０５が配されている。
【００１５】
図２は、本実施の形態に係るデジタルカメラ１００の分解斜視図である。図２は、レンズ鏡筒や基板を備えたフロントカバー１０６から、リアカバー１０７を取り外した状態を示している。
【００１６】
フレキシブル基板１０８には、スイッチ１０２ａ、１０４ａ、１０５ａが実装されている。操作ボタン群１０２、ディスプレイボタン１０４、削除ボタン１０５は、リアカバー１０７に取り付けられている。操作ボタン群１０２、ディスプレイボタン１０４、及び削除ボタン１０５を押圧操作すると、フレキシブル基板１０８に実装されたスイッチ１０２ａ、１０４ａ、１０５ａがそれぞれ押圧されるように構成されている。
【００１７】
スライドノブ１０３は、フレキシブル基板１０８に実装されたスライドスイッチ１０３ａに装着されている。スライドノブ１０３は、リアカバー１０７に設けられた孔部１０３ｃに挿通される。スライドノブ１０３をスライドさせることで、スライドスイッチ１０３ａを切り替えることができる。
【００１８】
このように、操作ボタン群１０２、ディスプレイボタン１０４、削除ボタン１０５を押圧操作すると、フレキシブル基板１０８に実装されたスイッチ１０２ａ、１０４ａ、１０５ａを介して、フレキシブル基板１０８に、フロントカバー１０６に向かう向きの力が加わる。また、スライドノブ１０３をスライド操作したときも、スライドスイッチ１０３ａを介して、フレキシブル基板１０８に、フロントカバー１０６に向かう向きの力が加わる。
【００１９】
図３は、本実施の形態に係るデジタルカメラの本体部１１０の分解斜視図である。フロントカバー１０６とリアカバー１０７は、ともに取り外されており、図示されていない。板金１１３は、フレキシブル基板１０８を補強するものであり、スペーサ１１２上に位置決めされ、固定される。図３では、板金１１３がスペーサ１１２と一体で本体部１１０から取り外されている。さらに、フレキシブル基板１０８が、板金１１３と一体となったスペーサ１１２から取り外されている。スライドノブ１０３は、スライドスイッチ１０３ａのスライド部１０３ｂに勘合する。したがって、スライドノブ１０３をスライドさせることで、スライドスイッチ１０３ａのスライド部１０３ｂがスライドする。同図では、スライドノブ１０３も取り外されている。
【００２０】
フレキシブル基板１０８は延伸部１０８ａを備える。延伸部１０８ａの先端は子基板１１４に接続されている。子基板１１４には、デジタルカメラ１００に加わる振動（すなわちデジタルカメラのぶれの角速度）を検知するジャイロセンサー１１４ａが実装されている。フレキシブル基板１０８に延伸部１０８ａを設けることで、通常の基板では接続が困難な位置にある子基板１１４とフレキシブル基板１０８との間で容易に電気的接続を得ることができる。なお、ジャイロセンサー１１４ａは、フレキシブル基板１０８の延伸部１０８ａに実装されてもよい。
【００２１】
本体部１１０のフレキシブル基板１０８に対向する位置には、メイン基板１１１が配されている。メイン基板１１１には、ＬＳＩ１１１ａやコネクタ１１１ｂ、その他、抵抗、コンデンサなどの電気部品が実装されている。フレキシブル基板１０８を補強する板金１１３は金属であり、スペーサ１１２は樹脂製である。フレキシブル基板１０８にはメイン基板１１１に向かう向きの力が加わるが、板金１１３とメイン基板１１１の間にはスペーサ１１２が配されるので、フレキシブル基板１０８とメイン基板１１１との間に間隙（スペース）を確保することができる。したがって、フレキシブル基板１０８にメイン基板１１１に向かう向きの力が加わることによって板金１１３が撓むことがあったとしても、板金１１３と、メイン基板１１１に実装された電気部品とがショートすることはない。
【００２２】
図４は、スペーサユニットの分解斜視図である。スペーサユニット１２０は、スペーサ１１２、板金１１３、フレキシブル基板１０８から構成される。
【００２３】
スペーサ１１２には、スライドノブ１０３を摺動可能に固定するレール１１２ａが設けられている。すなわち、スライドノブ１０３は、フレキシブル基板１０８に実装されたスライドスイッチ１０３ａのスライド部１０３ｂに嵌合するとともに、スペーサ１１２に設けられたレール１１２ａに摺動可能に固定される。したがって、スライドノブ１０３は、滑らかにスライドすることができる。なお、フレキシブル基板１０８に、スライドスイッチ１０３ａの代わりに他の可動スイッチ（可動部の位置により状態が切り替わるスイッチ）が設けられた場合、スペーサ１１２に、その可動スイッチの可動部の移動を可能とするガイド手段を設ければよい。例えば、図５に示すようなノブ付きロータリスイッチの場合、ノブ１６０を案内する案内溝１６２に沿ってレール（ガイド手段）を設けてもよい。
【００２４】
スペーサ１１２には、位置決めボス１１２ｂ、１１２ｃが設けられている。位置決めボス１１２ｂは、板金１１３に設けられた位置決め孔１１３ｂ、フレキシブル基板１０８に設けられた位置決め孔１０８ｂを挿通する。位置決めボス１１２ｃは、板金１１３に設けられた位置決め孔１１３ｃ、フレキシブル基板１０８に設けられた位置決め孔１０８ｃを挿通する。位置決めボス１１２ｂ、１１２ｃによって、スペーサ１１２に対して、板金１１３、フレキシブル基板１０８を容易に位置決めすることができる。なお、本実施の形態では、スペーサ１１２に設けた位置決めボス１１２ｂ、１１２ｃによって、スペーサ１１２に対して、板金１１３、フレキシブル基板１０８を位置決めすることとしたが、位置決めボスでなくても構わない。例えば、スペーサの端部に設けられた複数のリブであっても構わない。位置決めのために複数のリブを用いる場合、板金、フレキシブル基板に位置決め孔を穿孔する必要がないので、板金、フレキシブル基板のコストを低減できる。
【００２５】
スペーサ１１２には、固定ツメ１１２ｄ、１１２ｅが設けられている。固定ツメ１１２ｄは、板金１１３に設けられた固定孔１１３ｄを挿通するとともに、スペーサ１１２に板金１１３を係止する。固定ツメ１１２ｅは、板金１１３の固定部１１３ｅとフレキシブル基板１０８の固定部１０８ｅを係止する。ここで、固定ツメ１１２ｅが板金１１３とフレキシブル基板１０８をともに係止する一方、固定ツメ１１２ｄが板金１１３のみを係止するように構成している理由を説明する。まず、スペーサ１１２に固定ツメ１１２ｄ、１１２ｅによって板金１１３を係止する。この状態からフレキシブル基板１０８を取り付ける場合、固定ツメ１１２ｄ、１１２ｅの双方にフレキシブル基板１０８を係止しようとするとフレキシブル基板１０８を撓ませる必要がある。しかし、フレキシブル基板１０８には、既にスイッチ１０２ａ、１０４ａ、１０５ａが実装されているので、フレキシブル基板１０８を過度に撓ませることは半田不良などの原因となり好ましくない。そこで、一方の固定ツメ１１２ｅにのみフレキシブル基板１０８を差し込むようにして係止することで、フレキシブル基板１０８の撓みを防止している。フレキシブル基板１０８は、軽量である上、スライドノブ１０３がスライドスイッチ１０３ａに設けられたスライド部１０３ｂを介してスペーサ１１２に設けられたレール１１２ａに摺動可能に取り付けられる。すなわち、レール１１２ａにおいてもフレキシブル基板１０８はスペーサ１１２に固定される。したがって、レール１１２ａも本発明の固定部の一例であるということができる。
【００２６】
以上のようにして、スペーサユニット１２０が完成する。スペーサ１１２、板金１１３、フレキシブル基板１０８、子基板１１４が一体になっているので、これをデジタルカメラ１００に組み付けることは容易であり、これにより、デジタルカメラ１００の組立工数を削減することができる。
【００２７】
図６は、本発明の実施の形態に係るデジタルカメラ１００の別の分解斜視図である。デジタルカメラ１００は、本体部１２０をフロントカバー１０６とリアカバー１０７で覆うように構成されている。フレキシブル基板１０８の延伸部１０８ａに接続された子基板１１４は、デジタルカメラ１００の背面から見た右側面に回りこんで配置される。
【００２８】
以上のように、本実施形態によれば、フレキシブル基板１０８を板金（補強板）１１３で受ける。これにより、フレキシブル基板１０８の補強が可能となる。さらに、板金１１３におけるフレキシブル基板１０８の対向面と反対の面側にスペーサ１１２を配置する。これにより、板金１１３のフレキシブル基板１０８の対向面と反対の面に間隙（スペース）を確保できる。これにより、その間隙（スペース）にメイン基板１１１を配置することが可能となり、すなわち、板金１１３とメイン基板１１１との間にスペースを確保することが可能となり、板金１１３とメイン基板１１１に実装された電気部品間のショート等の電気的不良を防止できる。また、フレキシブル基板１０８、板金１１３、及びスペーサ１１２をユニット化することで、これらの部品を電子装置本体に容易に組み付けることが可能となる。
【００２９】
また、本実施形態では、ジャイロセンサーを１つのみ設けたが、ジャイロセンサーを複数設けても良い。例えば、一方向の角速度しか検出できないジャイロセンサーを使用する場合、デジタルカメラのヨー方向（横）とピッチ方向（縦）のそれぞれにジャイロセンサーを配置する必要がある。ピッチ方向の検出は、デジタルカメラの天面にジャイロセンサーを配置することで可能となる。ここで、一般的なデジタルカメラの構成では、カメラ側面と平行な基板は存在しないため、ヨー方向の検出については、ジャイロセンサーを配置できない。そこで、本実施形態のように、デジタルカメラの側面と平行に配置される子基板１１４（または延伸部１０８ａ）にジャイロセンサーを配置することでヨー方向の検出が可能となる。
【産業上の利用可能性】
【００３０】
本発明は、スイッチを実装したフレキシブル基板を補強しつつ、補強板（例えば、板金）と他の基板に実装された電気部品間のショート等の電気的不良を防止でき、よって、スイッチを備えた電子装置（例えば、デジタルカメラ）に有用である。
【符号の説明】
【００３１】
１００  デジタルカメラ
１０１  液晶モニター
１０２  操作ボタン群
１０２ａ  スイッチ
１０３  スライドノブ
１０３ａ  スライドスイッチ
１０３ｂ  スライド部
１０４  ディスプレイボタン
１０４ａ  スイッチ
１０５  削除ボタン
１０５ａ  スイッチ
１０６  フロントカバー
１０７  リアカバー
１０８  フレキシブル基板
１０８ａ  延伸部
１０８ｂ、１０８ｃ  固定孔
１０８ｅ  固定部
１１０  本体部
１１１  メイン基板
１１１ａ  ＬＳＩ
１１１ｂ  コネクタ
１１２  スペーサ
１１２ａ  レール
１１２ｂ、１１２ｃ  位置決めボス
１１２ｄ、１１２ｅ  固定ツメ
１１３  板金
１１３ｂ、１１３ｃ  位置決め孔
１１３ｅ  固定部
１１４  子基板
１１４ａ  ジャイロセンサー
１２０  スペーサユニット
【図１】
2011049541.tif 000003
【図２】
2011049541.tif 000004
【図３】
2011049541.tif 000005
【図４】
2011049541.tif 000006
【図５】
2011049541.tif 000007
【図６】
2011049541.tif 000008